(57)【特許請求の範囲】
【請求項１】
警備対象施設の警備状況を監視する警備端末と、少なくとも１つの該警備端末から電気通信回線を介して該警備状況を受け取るセンタ装置とからなり、該電気通信回線の接続状況を監視するために該警備端末と該センタ装置との間で定期通信を行う警備システムにおいて、
該センタ装置が、
該定期通信の開始に先立ち、所定回数連続して該定期通信が正常に行われなかった際に該定期通信の異常の継続時間をカウントする不通経過タイマと該電気通信回線の不通と判断する不通閾値とからなるアラームテーブルを、該電気通信回線の該警備端末に係るルート毎に作成するアラームテーブル作成手段と、
該アラームテーブルを作成した後、該定期通信を実施し、該実施した定期通信が正常に行われなかった場合に該不通経過タイマをカウントし、カウント開始後、該定期通信が正常に行われず不通経過時間が該不通閾値と一致又は超えた場合に不通と判断して警告を発する不通検出手段とを備え、
該不通閾値が、該電気通信回線の該警備端末に係るルート毎に個別に定められており、
該不通検出手段が、該アラームテーブルが作成された該ルートであって不通と判断した該電気通信回線の該警備端末に係るルート単位で警告を発することを特徴とする警備システム。
【請求項２】
警備対象施設の警備状況を監視する警備端末と、少なくとも１つの該警備端末から電気通信回線を介して該警備状況を受け取るセンタ装置とからなる警備システムの該電気通信回線の接続状況を表示する警備システムの通信不通表示方法において、
該センタ装置が、該定期通信の開始に先立ち、所定回数連続して該定期通信が正常に行われなかった際に該定期通信の異常の継続時間をカウントする不通経過タイマと該電気通信回線の不通と判断する不通閾値とからなるアラームテーブルを、該電気通信回線の該警備端末に係るルート毎に作成し、
該不通閾値が、該電気通信回線の該警備端末に係るルート毎に個別に定められており、該センター装置が、該アラームテーブルを作成した後、該定期通信を実施し、該実施した定期通信が正常に行われなかった場合に該不通経過タイマをカウントし、カウント開始後、該定期通信が正常に行われず不通経過時間が該不通閾値と一致又は超えた場合に不通と判断して、該アラームテーブルが作成された該ルートであって不通と判断した該電気通信回線の該警備端末に係るルート単位で警告を発することを特徴とする警備システムの通信不通表示方法。
【発明の詳細な説明】
【技術分野】
【０００１】
本発明は、警備対象施設側に設けられた警備端末とセンタ装置との間を電気通信回線で接続した警備システム及び警備システムの通信不通表示方法に関する。
【背景技術】
【０００２】
従来より、一般の家庭や店舗、工場等の警備対象施設側に、異常を検知するセンサを設け、異常の情報を警備端末を介して警備センタのセンタ装置や各種端末機器に通報する警備システムが用いられている。そして、警備端末とセンタ装置とを接続する手段として、電話回線やインターネット網等の電気通信回線が用いられてきた。
【０００３】
しかし、警備対象施設の異常の有無に係わらず電気通信回線に異常が生じ、通信が途絶える場合がある。この電気通信回線の異常を検知する方法として、例えば特許文献１に示されるものがある。特許文献１では、電気通信回線としてＩＳＤＮ回線を用いる警備システムで、監視先装置または警備先装置を複数台ごとにグループ化し、グループ内で一定時間間隔で順次発呼を繰り返し、監視先装置同士または警備先装置同士で通信不能状態を監視するようにしている。
【特許文献１】特開２００５−７２７５３号公報
【発明の開示】
【発明が解決しようとする課題】
【０００４】
しかしながら、従来の警備システムの通信不能状態の監視においては、呼の集中や電気通信回線のメンテナンスによる瞬断等による偶発的に生じる異常までも、電気通信回線の異常と検知してしまう可能性があった。
【０００５】
本発明は、このような事情に鑑みてなされたもので、偶発的に生じる電気通信回線の異常の検知を排除し、継続する電気通信回線の異常を的確に検知可能な警備システム及び警備システムの通信不通表示方法を提供することにある。
【課題を解決するための手段】
【０００６】
請求項１記載の警備システムは、センタ装置が、定期通信の開始に先立ち、所定回数連続して定期通信が正常に行われなかった際に定期通信の異常の継続時間をカウントする不通経過タイマと電気通信回線の不通と判断する不通閾値とからなるアラームテーブルを、電気通信回線の警備端末に係るルート毎に作成するアラームテーブル作成手段と、アラームテーブルを作成した後、定期通信を実施し、実施した定期通信が正常に行われなかった場合に不通経過タイマをカウントし、カウント開始後、定期通信が正常に行われず不通経過時間が不通閾値と一致又は超えた場合に不通と判断して警告を発する不通検出手段とを備え、不通閾値が、電気通信回線の警備端末に係るルート毎に個別に定められており、不通検出手段が、アラームテーブルが作成されたルートであって不通と判断した電気通信回線の警備端末に係るルート単位で警告を発することを特徴とする。
【０００７】
請求項２記載の警備システムの通信不通表示方法は、センタ装置が、定期通信の開始に先立ち、所定回数連続して定期通信が正常に行われなかった際に定期通信の異常の継続時間をカウントする不通経過タイマと電気通信回線の不通と判断する不通閾値とからなるアラームテーブルを、電気通信回線の警備端末に係るルート毎に作成し、不通閾値が、電気通信回線の警備端末に係るルート毎に個別に定められており、センター装置が、アラームテーブルを作成した後、定期通信を実施し、実施した定期通信が正常に行われなかった場合に不通経過タイマをカウントし、カウント開始後、定期通信が正常に行われず不通経過時間が不通閾値と一致又は超えた場合に不通と判断して、アラームテーブルが作成されたルートであって不通と判断した電気通信回線の警備端末に係るルート単位で警告を発するこを特徴とする。
【０００８】
【０００９】
【発明の効果】
【００１０】
請求項１及び請求項２の発明によれば、所定回数連続して定期通信が正常に行われなかった場合に、不通経過タイマをカウントし、不通経過時間が不通閾値と一致又は超えた場合に警告を発することから、偶発的に生じる電気通信回線の異常の検知を排除し、継続する電気通信回線の異常を的確に検知可能である。また、各警備端末毎の電気通信回線の状況に応じて、不通閾値を電気通信回線の警備端末に係るルート毎に定められることから、電気通信回線の異常を的確に検知可能である。
【００１１】
【発明を実施するための最良の形態】
【００１２】
以下、本発明の形態について図面を参照しながら具体的に説明する。本発明の形態における警備システムは、不審者等が侵入することが好ましくない一般の家庭や店舗、工場等の警備対象施設の異常の情報を検知し通報するものであって、インターネット網等の通信回線を用いて情報伝達を行うものである。
【００１３】
図１は、本発明に係る警備システムの実施例の構成を示す構成図である。図２は、同警備システムのセンタ装置の動作を示すフローチャートである。図３は、同センタ装置の画面を示す説明図である。本実施例の警備システム１は、警備すべき警備対象施設２に設けられた各種のセンサ３と、センサ３で検知した異常等をインターネット網５を用いて外部に情報伝達可能な警備用機器である警備端末１０と、異常等の情報を管理するセンタ装置２０とからなる。
【００１４】
警備端末１０は、センサ３のインタフェースである制御装置１１と、異常等の情報を外部に情報伝達可能な通信装置１２とから構成されている。また、インターネット網５は公衆回線網であり、例えば、アナログ加入回線（ＡＤＳＬ回線や光回線を含む）、ＩＳＤＮ回線、携帯電話網、ＰＨＳ網等である。尚、通信回線５は、有線に限られるものではなく、無線により接続されるものであってもよい。また、通信装置１２は、インターネット網５に接続可能な装置であり、具体的には有線方式又は無線方式のモデム、ターミナルアダプタ等である。
【００１５】
センタ装置２０は、異常の発生を表示し警備センタの管制員に伝える監視卓２２と、インターネット網５と監視卓２２とを接続する通信装置２１とから構成されている。監視卓２２は、例えば、コンピュータ端末であり、センタ装置２０の制御を行う制御手段をも含むものとする。また、通信装置２１は、インターネット網５に接続可能な装置であり、具体的には有線方式又は無線方式のモデム、ターミナルアダプタ等である。尚、通信回線５を介して１つのセンタ装置２０に接続される警備対象施設は複数有り、他の警備対象施設７，８も、警備対象施設２と同様に、センサ３、警備端末１０等を備えており、インターネット網５を介してセンタ装置２０に接続されている。
【００１６】
次に、本実施例における警備システムの動作を図２を基に説明する。尚、以後の説明において、括弧内の符号は図２のフローチャートの符号に対応している。まず、警備端末１０は、センサ３が異常の発生を検知する通常監視に入る（Ｓ１０１）。
【００１７】
【表１】
0005510988.tif 000002
【００１８】
表１に示すアラームテーブルは、後述する定期通信の異常の継続時間をカウントする不通経過タイマとインターネット網５の不通と判断する不通アラーム閾値とからなる。また、不通アラーム閾値及び不通経過タイマは、警備端末１０毎に定められている。表１においては、アドレスが個々の警備端末を示している。警備端末１０が通常監視を始めたことで（Ｓ１０１）、警備端末１０（アドレス００４）の不通アラーム閾値が設定される（本実施例に示す具体例は６）（Ｓ１０２）。
【００１９】
次に、インターネット網５の接続状況等を監視するために警備端末１０とセンタ装置２０との間で定期通信を行う（Ｓ１０３）。定期通信は、所定の間隔で、警備端末１０側又はセンタ装置２０側から相手に向かって応答問い合わせを行い、相手側からの応答を待ち受けるものである。具体的な定期通信としては、警備端末１０側からセンタ装置２０側に対して応答問い合わせを行い警備端末１０がセンタ装置２０からの応答を待つ場合と、逆にセンタ装置２０側から警備端末１０側に対して応答問い合わせを行いセンタ装置２０が警備端末１０からの応答を待つ場合がある。
【００２０】
次に、この定期通信が正常に行われたか否かの判断を行う（Ｓ１０３）。警備端末１０側からセンタ装置２０側に対して応答問い合わせを行い警備端末１０がセンタ装置２０からの応答を待つ場合、本来なら所定間隔でセンタ装置２０に対して警備端末１０から応答問い合わせが届かなければならないが、もし定期的に届かない場合にセンタ装置２０側で定期通信の異常を検知できる。また、センタ装置２０側から警備端末１０側に対して応答問い合わせを行いセンタ装置２０が警備端末１０からの応答を待つ場合、応答が定期的に届かない場合にセンタ装置２０側で定期通信の異常を検知できる。
【００２１】
センタ装置２０が定期通信の異常を検知した場合（Ｓ１０３−ＮＧ）、センタ装置２０の監視卓２２では、定期通信に異常を生じた警備端末１０の不通経過タイマのタイマ・カウントを開始する（Ｓ１０４）。そして、引き続き定期通信の監視を行う（Ｓ１０５）。そして、定期通信が正常に行われ通信が復旧した場合には、該当の警備端末（１０、アドレス００４）をアラームテーブルから消去する（Ｓ１１２）。
【００２２】
定期通信が依然として正常に行われない場合には（Ｓ１０５−ＮＧ）、アラームテーブルの不通経過タイマが時間と共にカウントされ、引き続き定期通信を試み、復旧の有無を確認する（Ｓ１０５）。そして、不通経過タイマのカウントが不通アラーム閾値に達し（一致又は超えた場合）てカウント・アップした場合には（Ｓ１０６−ＹＥＳ）、インターネット網５の警備端末１０に係るルートが不通になっていると判断し、センタ装置２０の監視卓２２にアラーム表示を行う（Ｓ１０７）。
【００２３】
具体的には、図３に示す接続状態画面３０の警備端末ごとの接続状態を示す表示が変化する。接続状態画面３０で、通常の不通が生じていない状態では、１つの警備端末の接続状態として警備端末状態表示３２に示すように背景が白で表示されている。ところが、不通になったと判断された場合、端末装置１０（アドレス００４）の警備端末状態表示３１では、背景が黒で表示されアラーム表示となる（Ｓ１０７）。尚、不通の場合に背景を黒で説明したが、例えば背景を赤で示したり点滅させたりすることも可能である。また、正常な警備端末に関しては背景を青で表示したり、不通になっている警備端末と区別できるようにすればよい。
【００２４】
また、通信の状態を文字情報として表２の上段に示すように、不通状態の発生を示すジャーナルを監視卓２２で表示するようにもする（Ｓ１０８）。この接続状態画面３０とジャーナルとにより、センタ装置２０の監視員は、通信の不通を知ることができる。
【００２５】
【表２】
0005510988.tif 000003
【００２６】
アラーム等を表示した後（Ｓ１０７、Ｓ１０８）、引き続き定期通信を試み、定期通信が復旧した場合には（Ｓ１０９−復旧）、表２の下段に示すように、ジャーナルに復旧した旨を表示する（Ｓ１１０）。そして、接続状態画面３０のアラーム表示を消去して通常の状態に戻す（Ｓ１１１）。その後、該当の警備端末（１０、アドレス００４）をアラームテーブルから消去する（Ｓ１１２）。
【００２７】
尚、定期通信の異常を検知する条件として、定期通信が所定回数正常に行われなかった場合を、異常とする。この所定回数は任意に定めることが可能で、１回（すなわち、１回正常に行われなかった場合でも異常を検知）であっても構わない。
【００２８】
以上のように、本実施例の警備システム１によれば、所定回数連続して定期通信が正常に行われなかった場合に、不通経過タイマをカウントし、不通経過時間が不通閾値である不通アラーム閾値と一致又は超えた場合に警告を発することから、偶発的に生じるインターネット網５等の電気通信回線の異常の検知を排除し、継続する電気通信回線の異常を的確に検知可能である。
【００２９】
また、各警備端末毎の電気通信回線の状況に応じて、不通閾値を電気通信回線の警備端末に係るルート毎に定められることから、電気通信回線の異常を的確に検知可能である。
【産業上の利用可能性】
【００３０】
以上のように、偶発的に生じる電気通信回線の異常の検知を排除し、継続する電気通信回線の異常を的確に検知可能な警備システム及び警備システムの通信不通表示方法を提供することができる。
【図面の簡単な説明】
【００３１】
【図１】本発明に係る警備システムの実施例の構成を示す構成図である。
【図２】同警備システムのセンタ装置の動作を示すフローチャートである。
【図３】同センタ装置の画面を示す説明図である。
【符号の説明】
【００３２】
１・・・・警備システム
２・・・・警備対象施設
３・・・・センサ
５・・・・インターネット網
７・・・・警備対象施設
８・・・・警備対象施設
１０・・・警備端末
１１・・・制御装置
１２・・・通信装置
２０・・・センタ装置
２１・・・通信装置
２２・・・監視卓
３０・・・接続状態画面
３１・・・警備端末状態表示
３２・・・警備端末状態表示
【図１】
0005510988.tif 000004
【図２】
0005510988.tif 000005
【図３】
0005510988.tif 000006